(57)【要約】【課題】操作性や利便性を向上させ、作業時間を短縮させると共に、棒状のねぎ苗等を畑に等間隔に定植することができる苗定植器を提供すること。【解決手段】植物を苗床から畑に移して植え変える苗定植器（１）において、基台（２）の一側面に設けられた、苗（ａ）を等間隔に収納する苗保持具（１０）と、苗保持具（１０）内に収容された苗（ａ）を側面より押圧する苗支持具（２０）とで構成されていることを特徴とする。【選択図】    図１
2004187660.tif 000002
【特許請求の範囲】
【請求項１】
植物を苗床から畑に移して植え変える苗定植器において、基台の一側面に設けられた、苗を等間隔に収納する苗保持具と、苗保持具内に収容された苗を側面より押圧する苗支持具とで構成されていることを特徴とする苗定植器。
【請求項２】
前記苗保持具の上部にスケールを装着した請求項１記載の苗定植器。
【発明の詳細な説明】
【０００１】
【発明の属する技術分野】
本発明は、植物を苗床から畑に移して植え変える苗定植器において、特に、棒状のねぎ苗等を畑に等間隔に定植することができると共に、操作性を向上させ作業時間を短縮することを可能とした苗定植器に関する。
【０００２】
【従来の技術】
従来より、棒状のねぎ苗等を定植する場合、苗床から苗を取り出して畑の溝内に等間隔に置き、その苗の根本に土寄せを施していた。通常、露地畑等の狭い面積に定植する場合には手作業にて、また、広い面積に大量の苗を移し替える場合、専用の機械により定植が行われていた。
【０００３】
【発明が解決しようとする課題】
しかし、手作業による定植においては、中腰の状態で作業を行うため、足腰に大きな負担が掛かると共に、苗が折れたり植え付けられた苗の間隔が揃わず株間にバラツキが発生するという欠点があった。
【０００４】
また、専用の定植機械においては、装置にかかるコストが高くなり操作も困難になるばかりでなく、狭い面積や山間部での定植作業には不向きであるという問題もあった。
【０００５】
そこで本発明は上記の点に鑑み、操作性や利便性を向上させて作業時間を短縮すると共に、棒状のねぎ苗等を畑に等間隔に定植することができる苗定植器を提供することにある。
【０００６】
【課題を解決するための手段】
本発明は上記課題を達成するために、植物を苗床から畑に移して植え変える苗定植器において、基台の一側面に設けられた、苗を等間隔に収納する苗保持具と、苗保持具内に収容された苗を側面より押圧する苗支持具とで構成されていることを特徴とする。そのため、予め施した溝内に苗定植器を配置させ、苗床から取り出した苗を苗保持具に収納し、苗支持具にて苗を押圧保持して苗の根本に土寄せを施す。その後、苗定植器を取り出すことにより、棒状のねぎ苗等を短時間に効率よく畑に等間隔に定植することができる。
【０００７】
また、前記苗保持具の上部にスケールを装着したことにより、苗間の間隔を任意に設定することができる。
【０００８】
【発明の実施の形態】
本発明における苗定植器の実施の形態を図面に基づいて説明する。なお、図１は本発明の苗定植器に苗を収納させる状態、図２は苗支持具にて苗を押圧保持する状態、図３乃至図６は苗を畑に定植する状態の側面図、図７および図８は苗を畑に定植する状態の正面図をそれぞれ表す。
【０００９】
本発明の苗定植器１は、基台２の一側面に設けられた、苗ａを等間隔に収納する苗保持具１０と、苗保持具１０内に収容された苗ａを側面より押圧する苗支持具２０とで構成されている。
【００１０】
基台２は薄板の矩形状を呈しており、棒状の苗ａ（例えばねぎ苗）を一度に約３０本程度保持できる大きさで形成されている。また、基台２の上部中央には把手３が、端部には補助把手４が設置されている。さらに、基台２の底面には一対のコ字状の脚体５が装着されている。なお、前記脚体５の内側には移動用のローラ７が具備されている。
【００１１】
苗保持具１０は、長筒状で、且つ、水平方向断面でＣ字状に形成されており、開口１１部分より苗ａを挿入することにより、苗ａを垂直状態に収容保持させることができる。また苗保持具１０は、基台２の一側面に複数（図中３０本）、等間隔に設置されている。
【００１２】
苗支持具２０は、苗保持具１０内に収容された苗ａを軽く押圧保持するものであり、基台２の両端に設けられた突片２１と、突片２１に連結具２２を介して折曲自在に連結されたアーム２３と、アーム２３間に跨設された保持具２４とで形成されている。
【００１３】
また他の好適例として、前記苗保持具１０の上部にスケール６を装着することが好ましい。スケール６を装着することにより、定植する苗ａの間隔の目安が明確になり、畑の面積と定植する苗ａの数量を容易に設定することができる。
【００１４】
次に、本発明における苗定植器の使用方法の詳細を図３乃至図８に基づいて説明する。
【００１５】
図３に示すように、予め施した溝ｂ内に苗定植器１を配置させ、苗床より取り出した苗ａを苗保持具１０の開口部１１より挿入させ垂直状態に保持する。次に、図４に示すように、苗支持具２０を立ち上げて、保持具２４にて苗保持具１０内の苗ａを軽く押圧し保持する。さらに、図５に示すように、苗ａの根本に土寄を施した後、苗定植器１を抜き出す。すると、図６に示すように、苗ａは手植えした状態のように地中に定植される。
【００１６】
また、図７および図８に示すように、苗定植器１にて苗ａを等間隔に複数定植した後、把手３や補助把手４を把持し苗定植器１を移動させ、同様の作業を繰り返すことにより、容易に、且つ短時間に複数の苗ａを定植することができる。なお、本発明の苗定植器１は軽量で比較的コンパクトに形成されているため、容易に持ち運びすることが可能となり、例えば山間部の畑においても手軽に使用することができる。
【００１７】
【発明の効果】
以上説明してきたように本発明の苗定植器は、上述の構成とすることで以下に示す効果を奏するものである。
【００１８】
植物を苗床から畑に移して植え変える苗定植器において、基台の一側面に設けられた、苗を等間隔に収納する苗保持具と、苗保持具内に収容された苗を側面より押圧する苗支持具とで構成されているため、棒状のねぎ苗等を短時間に効率よく畑に等間隔に定植することができる。
【００１９】
また、一度に複数の苗を定植することができるため、女性や高齢者においても作業性を向上させることができる。
【００２０】
また、苗定植器は軽量で比較的コンパクトに形成されているため、持ち運びが容易で応用範囲が広がり、山間部の畑においても手軽に使用することができる。
【００２１】
さらに、苗保持具の上部にスケールを装着したことにより、苗間の間隔を任意に設定することができる。
【図面の簡単な説明】
【図１】本発明の苗定植器に苗を収納させる状態の斜視図を表す。
【図２】苗支持具にて苗を押圧保持する状態の斜視図を表す。
【図３】苗保持具に苗を収納させる状態の側面図を表す。
【図４】苗支持具にて苗を押圧保持する状態の側面図を表す。
【図５】苗の根本に土寄せを施す状態の側面図を表す。
【図６】苗を植設した状態の側面図を表す。
【図７】苗を畑に定植する状態の正面図を表す。
【図８】苗定植器を移動させた状態の正面図を表す。
【符号の説明】
１・・・苗定植器
２・・・基台
３・・・把手
４・・・補助把手
５・・・脚体
６・・・スケール
７・・・ローラ
１０・・苗保持具
１１・・開口部
２０・・苗支持具
２１・・突片
２２・・連結具
２３・・アーム
２４・・保持具
ａ・・・苗
ｂ・・・溝
【図１】
2004187660.tif 000003
【図２】
2004187660.tif 000004
【図３】
2004187660.tif 000005
【図４】
2004187660.tif 000006
【図５】
2004187660.tif 000007
【図６】
2004187660.tif 000008
【図７】
2004187660.tif 000009
【図８】
2004187660.tif 000010